(57)【要約】【課題】  カバーテープの剥離強度をテープ走行方向で安定化させることにより剥離強度のバラツキを原因として生じ得るテープ切れを防止できるテープ状包装体の製造方法を提供する。【解決手段】  上金型３１ａとしてテープ走行方向に沿う寸法ＬがＬ＝３Ｘ−Ａに該当するものを用い、該上金型３１ａをその寸法Ｌの中心ＣＬがキャリアテープ１１の中心間隔Ｘの中間位置に向き合う位置に押し当てることで熱接着を行う。【選択図】  図９
2007008556.tif 000002
【特許請求の範囲】
【請求項１】
複数の収納ポケットが上面に等間隔で設けられたキャリアテープを隣接する収納ポケットの中心間隔に合致する距離で間欠移動させながら、間欠移動の停止過程で収納ポケットに電子部品を順次挿入するステップと、電子部品が挿入された収納ポケットを塞ぐようにキャリアテープの上面にカバーテープを重ねるステップと、間欠移動の停止過程でカバーテープにヒータ内蔵の上金型を押し当てて該カバーテープをキャリアテープの上面に熱接着するステップとを行うテープ状包装体の製造方法であって、
前記の熱接着ステップでは、隣接する収納ポケットに挟まれる部分の熱接着重複回数を収納ポケット部分の熱接着重複回数よりも多くなるように熱接着を行う、
ことを特徴とするテープ状包装体の製造方法。
【請求項２】
上金型としてテープ走行方向に沿う寸法Ｌが（ｎ−１）Ｘ＜Ｌ≦ｎＸ−Ａ（Ｘは隣接する収納ポケットの中心間隔、Ａは収納ポケットのテープ走行方向に沿う寸法、ｎは３以上の整数）に該当するものを用い、上金型をその寸法Ｌの中心がキャリアテープの中心間隔Ｘの中間位置に向き合う位置に押し当てることで熱接着を行う、
ことを特徴とする請求項１に記載のテープ状包装体の製造方法。
【請求項３】
上金型の寸法ＬはＬ＝ｎＸ−Ａ−２Ｂ（Ｂは収納ポケットの壁厚）に該当する、
ことを特徴とする請求項２に記載のテープ状包装体の製造方法。
【請求項４】
複数の収納ポケットが上面に等間隔で設けられたキャリアテープを隣接する収納ポケットの中心間隔に合致する距離で間欠移動させる手段と、間欠移動の停止過程で収納ポケットに電子部品を順次挿入する手段と、電子部品が挿入された収納ポケットを塞ぐようにキャリアテープの上面にカバーテープを重ねる手段と、間欠移動の停止過程でカバーテープにヒータ内蔵の上金型を押し当てて該カバーテープをキャリアテープの上面に熱接着する手段とを備えたテープ状包装体の製造装置であって、
前記の熱接着手段に含まれる上金型はそのテープ走行方向に沿う寸法Ｌが（ｎ−１）Ｘ＜Ｌ≦ｎＸ−Ａ（Ｘは隣接する収納ポケットの中心間隔、Ａは収納ポケットのテープ走行方向に沿う寸法、ｎは３以上の整数）に該当し、キャリアテープに対する上金型の押し当て位置は該上金型の寸法Ｌの中心がキャリアテープの中心間隔Ｘの中間位置に向き合う位置にある、
ことを特徴とするテープ状包装体の製造装置。
【請求項５】
上金型の寸法ＬはＬ＝ｎＸ−Ａ−２Ｂ（Ｂは収納ポケットの壁厚）に該当する、
ことを特徴とする請求項４に記載のテープ状包装体の製造装置。
【請求項６】
前記の熱圧着手段に含まれる上金型は軸穴を中心として回転可能なアームの端部に着脱自在に取り付けられており、該熱圧着手段はキャリアテープに対する上金型の押し当て位置をテープ走行方向で調整するための手段を有する、
ことを特徴とする請求項４または５に記載のテープ状包装体の製造装置。
【発明の詳細な説明】
【技術分野】
【０００１】
本発明は、電子部品収納用の複数の収納ポケットが上面に等間隔で設けられたキャリアテープと電子部品が挿入された収納ポケットを塞ぐようにキャリアテープの上面に熱接着されたカバーテープとを含むテープ状包装体の製造方法及びその製造装置に関する。
【背景技術】
【０００２】
図１〜図６はテープ状包装体の従前の製造方法を示す。図中の１０はテープ状包装体、１１はキャリアテープ、１２はカバーテープ、ＥＣは電子部品、２１は上金型、２２は下金型である。
【０００３】
キャリアテープ１１は所定の幅寸法を有する帯状を成し、その上面には複数の収納ポケット１１ａが等間隔で設けられ、また、上面一側には複数の送り孔１１ｂが等間隔で設けられている。収納ポケット１１ａは所定の横断面形状と深さとを有し電子部品ＥＣの収納及び取り出しを許容する。送り孔１１ｂにはキャリアテープ１１を所定方向に移動させるための駆動用スプロケットとガイド用スプロケットが係合する。カバーテープ１２はキャリアテープ１１よりも小さな幅寸法を有する帯状を成す。
【０００４】
上金型２１は図示省略のヒータ及び温度センサを内蔵し、後述の熱圧着に適した温度に保持される。また、上金型２１はテープ走行方向に沿う寸法Ｌと幅寸法Ｗとを有し、その下面は平坦な熱接着面となっている。テープ走行方向に沿う寸法Ｌは中心間隔Ｘよりも大きく、且つ、幅寸法Ｗはカバーテープ１２の幅寸法以上である。
【０００５】
テープ状包装体１０を製造するときには、キャリアテープ１１を隣接する収納ポケット１１ａの中心間隔Ｘに合致する距離ＭＤで間欠移動させながら、間欠移動の停止過程で収納ポケット１１ａに電子部品ＥＣを順次挿入し（図１参照）、そして、電子部品ＥＣが挿入された収納ポケット１１ａを塞ぐようにキャリアテープ１１の上面にカバーテープ１２を重ね（図２参照）、そして、間欠移動の停止過程でカバーテープ１２に上金型２１を押し当てて該カバーテープ１２をキャリアテープ１１の上面に熱接着する（図３及び図４参照）。この熱接着時にはキャリアテープ１１を支持するために下金型２２が併用される。
【０００６】
尚、包装後の電子部品ＥＣを基板等に実装するときには、キャリアテープ１１を前記同様に間欠移動させながら間欠移動の移動過程でカバーテープ１２をテープ状包装体１０から剥離し、間欠移動の停止過程で収納ポケット１１ａから電子部品ＥＣを実装機によって取り出す。
【特許文献１】特開平５−３３８６８３号公報
【特許文献２】特開平１１−１５７５７４号公報
【発明の開示】
【発明が解決しようとする課題】
【０００７】
前記の熱接着はキャリアテープ１１を中心間隔Ｘに合致する距離ＭＤで間欠移動させながら行われ、且つ、上金型２１のテープ走行方向に沿う寸法Ｌは中心間隔Ｘよりも大きいため、該熱接着はテープ走行方向で重複して行われる。
【０００８】
図５は上金型２１としてテープ走行方向に沿う寸法ＬがＬ＝３Ｘに該当するものを用い、該上金型２１をその寸法Ｌの中心ＣＬが収納ポケット１１ａの中心位置に向き合う位置に押し当てることで熱接着を行った場合の熱接着の重複回数を示す。図５中の太線は上金型２１による熱接着領域を示すもので、熱接着の度に左方向に距離ＭＤだけずれている。この場合にあっては３回目以降の熱接着から該熱接着の重複回数はテープ走行方向全てにおいて３回となり、上金型２１の押し当て位置をテープ走行方向で変化させても３回目以降の熱接着から熱接着の重複回数はテープ走行方向全てにおいて３回となる。
【０００９】
因みに、上金型２１としてテープ走行方向に沿う寸法ＬがＬ＝２Ｘに該当するものを用いた場合には２回目以降の熱接着から熱接着の重複回数はテープ走行方向全てにおいて２回となり、また、上金型２１としてテープ走行方向に沿う寸法ＬがＬ＝４Ｘに該当するものを用いた場合には４回目以降の熱接着から熱接着の重複回数はテープ走行方向全てにおいて４回となる。
【００１０】
前記の熱接着手法にあっては熱接着の重複回数がテープ走行方向全てにおいて等しくなるが、実際上ではカバーテープ１２をテープ状包装体１０から剥離するときに剥離強度のバラツキを原因としてテープ切れを生じることがある。
【００１１】
即ち、キャリアテープ１１の上面には収納ポケット１１ａとその周囲を囲む平坦部分とが存在するが、収納ポケット１１ａの開口縁はその形状からして剛性が高いために、上金型２１をカバーテープ１２に押し当てて熱圧着を行うときに開口縁が受ける圧力は他の部分よりも高くなり、結果的に収納ポケット１１ａの開口縁の接着力が他の部分よりも高くなってしまう。
【００１２】
つまり、テープ状包装体１０におけるカバーテープ１２の剥離強度は、図６に示すように収納ポケット１１ａ部分が高く、且つ、隣接する収納ポケット１１ａに挟まれる部分がこれよりも低くなり、この高低がテープ走行方向で交互に現れるようなバラツキが発生する。
【００１３】
本発明は前記事情に鑑みて創作されたもので、その目的とするところは、カバーテープの剥離強度をテープ走行方向で安定化させることにより剥離強度のバラツキを原因として生じ得るテープ切れを防止できるテープ状包装体の製造方法と、該製造方法の実施に好適なテープ状包装体の製造装置を提供することにある。
【課題を解決するための手段】
【００１４】
前記目的を達成するため、本発明に係るテープ状包装体の製造方法は、複数の収納ポケットが上面に等間隔で設けられたキャリアテープを隣接する収納ポケットの中心間隔に合致する距離で間欠移動させながら、間欠移動の停止過程で収納ポケットに電子部品を順次挿入するステップと、電子部品が挿入された収納ポケットを塞ぐようにキャリアテープの上面にカバーテープを重ねるステップと、間欠移動の停止過程でカバーテープにヒータ内蔵の上金型を押し当てて該カバーテープをキャリアテープの上面に熱接着するステップとを行うテープ状包装体の製造方法であって、前記の熱接着ステップでは、隣接する収納ポケットに挟まれる部分の熱接着重複回数を収納ポケット部分の熱接着重複回数よりも多くなるように熱接着を行う、ことをその特徴とする。
【００１５】
この製造方法によれば、隣接する収納ポケットに挟まれる部分の熱接着重複回数が収納ポケット部分の熱接着重複回数よりも多くなるため、収納ポケットの開口縁が受ける圧力が他の部分よりも高くても、隣接する収納ポケットに挟まれる部分の接着力を高めて該接着力を開口縁の接着力に近づけることができる。つまり、テープ状包装体におけるカバーテープの剥離強度には従前のような極端な高低バラツキは生じず、該剥離強度はテープ走行方向でほぼ安定化したものとなる。従って、カバーテープをテープ状包装体から剥離するときに剥離強度のバラツキを原因としてテープ切れを生じることを防止できる。
【００１６】
一方、本発明に係るテープ状包装体の製造装置は、複数の収納ポケットが上面に等間隔で設けられたキャリアテープを隣接する収納ポケットの中心間隔に合致する距離で間欠移動させる手段と、間欠移動の停止過程で収納ポケットに電子部品を順次挿入する手段と、電子部品が挿入された収納ポケットを塞ぐようにキャリアテープの上面にカバーテープを重ねる手段と、間欠移動の停止過程でカバーテープにヒータ内蔵の上金型を押し当てて該カバーテープをキャリアテープの上面に熱接着する手段とを備えたテープ状包装体の製造装置であって、前記の熱接着手段に含まれる上金型はそのテープ走行方向に沿う寸法Ｌが（ｎ−１）Ｘ＜Ｌ≦ｎＸ−Ａ（Ｘは隣接する収納ポケットの中心間隔、Ａは収納ポケットのテープ走行方向に沿う寸法、ｎは３以上の整数））に該当し、キャリアテープに対する上金型の押し当て位置は該上金型の寸法Ｌの中心がキャリアテープの中心間隔Ｘの中間位置に向き合う位置にある、ことをその特徴とする。
【００１７】
この製造装置によれば、前記の製造方法を好適、且つ、的確に実施することができる。
【発明の効果】
【００１８】
本発明によれば、カバーテープの剥離強度をテープ走行方向で安定化させることにより剥離強度のバラツキを原因として生じ得るテープ切れを防止できるテープ状包装体の製造方法と、該製造方法に好適なテープ状包装体の製造装置を提供できる。
【００１９】
本発明の前記目的とそれ以外の目的と、構成特徴と、作用効果は、以下の説明と添付図面によって明らかとなる。
【発明を実施するための最良の形態】
【００２０】
図７〜図１３は本発明の実施形態を示す。図中の１０はテープ状包装体、１１はキャリアテープ、１２はカバーテープ、ＥＣは電子部品、３１，３１ａ，３１ｂは上金型である。尚、本実施形態におけるキャリアテープ１１及びカバーテープ１２の構成は背景技術で説明したものと同じであるので同一符号を用いその説明を省略する。また、下記の製法説明では図１及び図２を適宜引用する。
【００２１】
まず、図７及び図８を参照して、上金型３１のテープ走行方向に沿う寸法Ｌとキャリアテープ１１に対する上金型３１の押し当て位置に関して説明する。
【００２２】
上金型３１のテープ走行方向に沿う寸法Ｌは、（ｎ−１）Ｘ＜Ｌ≦ｎＸ−Ａの範囲内にある（図７参照）。式中のＸは隣接する収納ポケット１１ａの中心間隔、Ａは収納ポケット１１ａのテープ走行方向に沿う寸法、ｎは３以上の整数である。図７中のＢは収納ポケット１１ａの壁厚である。
【００２３】
また、キャリアテープ１１に対する上金型３１の押し当て位置は、上金型３１の寸法Ｌの中心ＣＬがキャリアテープ１１の中心間隔Ｘの中間位置に向き合う位置にある（図８参照）。図８中の上側の太線はＬ＞（ｎ−１）Ｘに相当し、下側の太線はＬ≦ｎＸ−Ａに相当する。
【００２４】
次に、図９及び図１０参照して、テープ走行方向に沿う寸法ＬがＬ＝３Ｘ−Ａの上金型３１ａを用いた場合のテープ状包装体１０の製造方法について説明する。
【００２５】
上金型３１ａは図示省略のヒータ及び温度センサを内蔵し、後述の熱圧着に適した温度に保持される。また、上金型３１ａはカバーテープ１２の幅寸法以上の幅寸法Ｗを有し、その下面は平坦な熱接着面となっている。
【００２６】
テープ状包装体１０を製造するときには、キャリアテープ１１を隣接する収納ポケット１１ａの中心間隔Ｘに合致する距離ＭＤで間欠移動させながら、間欠移動の停止過程で収納ポケット１１ａに電子部品ＥＣを順次挿入し（図１参照）、そして、電子部品ＥＣが挿入された収納ポケット１１ａを塞ぐようにキャリアテープ１１の上面にカバーテープ１２を重ね（図２参照）、そして、間欠移動の停止過程でカバーテープ１２に上金型３１ａを押し当てて該カバーテープ１２をキャリアテープ１１の上面に熱接着する（図９参照）。この熱接着時にはキャリアテープ１１を支持するために図４と同様の下金型が併用される。
【００２７】
ここでは上金型３１ａとしてテープ走行方向に沿う寸法ＬがＬ＝３Ｘ−Ａに該当するものを用い、該上金型３１ａをその寸法Ｌの中心ＣＬがキャリアテープ１１の中心間隔Ｘの中間位置に向き合う位置に押し当てることで熱接着を行っているため、熱圧着の重複回数は図１０のようになる。図１０中の太線は上金型３１ａによる熱接着領域を示すもので、熱接着の度に左方向に距離ＭＤだけずれている。
【００２８】
この場合にあっては、３回目以降の熱圧着から、隣接する収納ポケット１１ａに挟まれる部分の熱接着重複回数は３回となり、収納ポケット１１ａ部分の熱接着重複回数は２回となる。つまり、隣接する収納ポケット１１ａに挟まれる部分の熱接着重複回数は収納ポケット１１ａ部分の熱接着重複回数よりも多くなる。
【００２９】
先に述べたようにキャリアテープ１１の上面には収納ポケット１１ａとその周囲を囲む平坦部分とが存在するが、収納ポケット１１ａの開口縁はその形状からして剛性が高いために、上金型３１ａをカバーテープ１２に押し当てて熱圧着を行うときに開口縁が受ける圧力は他の部分よりも高くなってしまう。
【００３０】
しかし、前述の製法では、隣接する収納ポケット１１ａに挟まれる部分の熱接着重複回数が収納ポケット１１ａ部分の熱接着重複回数よりも多くなるため、収納ポケット１１ａの開口縁が受ける圧力が他の部分よりも高くても、隣接する収納ポケット１１ａに挟まれる部分の接着力を高めて該接着力を開口縁の接着力に近づけることができる。
【００３１】
つまり、テープ状包装体１０におけるカバーテープ１２の剥離強度には、図１１に示すように多少の起伏は見られるものの図６のような極端な高低バラツキは生じず、該剥離強度はテープ走行方向でほぼ安定化したものとなる。従って、カバーテープ１２をテープ状包装体１０から剥離するときに剥離強度のバラツキを原因としてテープ切れを生じることを防止できる。
【００３２】
次に、図１２及び図１３を参照して、テープ走行方向に沿う寸法ＬがＬ＝３Ｘ−Ａ−２Ｂの上金型３１ｂを用いた場合のテープ状包装体１０の製造方法について説明する。式中のＢは収納ポケット１１ａの壁厚であり、該壁厚Ｂの値は〔（Ｘ−Ａ）／２〕の値よりも小さいため、３Ｘ−Ａ−２Ｂの値は先の式（ｎ−１）Ｘ＜Ｌ≦ｎＸ−Ａを満足する。
【００３３】
上金型３１ｂは図示省略のヒータ及び温度センサを内蔵し、後述の熱圧着に適した温度に保持される。また、上金型３１ｂはカバーテープ１２の幅寸法以上の幅寸法Ｗを有し、その下面は平坦な熱接着面となっている。
【００３４】
テープ状包装体１０を製造するときには、キャリアテープ１１を隣接する収納ポケット１１ａの中心間隔Ｘに合致する距離ＭＤで間欠移動させながら、間欠移動の停止過程で収納ポケット１１ａに電子部品ＥＣを順次挿入し（図１参照）、そして、電子部品ＥＣが挿入された収納ポケット１１ａを塞ぐようにキャリアテープ１１の上面にカバーテープ１２を重ね（図２参照）、そして、間欠移動の停止過程でカバーテープ１２に上金型３１ｂを押し当てて該カバーテープ１２をキャリアテープ１１の上面に熱接着する（図１２参照）。この熱接着時にはキャリアテープ１１を支持するために図４と同様の下金型が併用される。
【００３５】
ここでは上金型３１ｂとしてテープ走行方向に沿う寸法ＬがＬ＝３Ｘ−Ａ−２Ｂに該当するものを用い、該上金型３１ｂをその寸法Ｌの中心ＣＬがキャリアテープ１１の中心間隔Ｘの中間位置に向き合う位置に押し当てることで熱接着を行っているため、熱圧着の重複回数は図１３のようになる。図１３中の太線は上金型３１ｂによる熱接着領域を示すもので、熱接着の度に左方向に距離ＭＤだけずれている。
【００３６】
この場合にあっては、３回目以降の熱圧着から、隣接する収納ポケット１１ａに挟まれる部分の熱接着重複回数は３回となり、収納ポケット１１ａ部分の熱接着重複回数は２回となる。つまり、隣接する収納ポケット１１ａに挟まれる部分の熱接着重複回数は収納ポケット１１ａ部分の熱接着重複回数よりも多くなる。
【００３７】
先に述べたようにキャリアテープ１１の上面には収納ポケット１１ａとその周囲を囲む平坦部分とが存在するが、収納ポケット１１ａの開口縁はその形状からして剛性が高いために、上金型３１ｂをカバーテープ１２に押し当てて熱圧着を行うときに開口縁が受ける圧力は平坦部分よりも高くなってしまう。
【００３８】
しかし、前述の製法では、隣接する収納ポケット１１ａに挟まれる部分の熱接着重複回数が収納ポケット１１ａ部分の熱接着重複回数よりも多くなるため、収納ポケット１１ａの開口縁が受ける圧力が他の部分よりも高くても、隣接する収納ポケット１１ａに挟まれる部分の接着力を高めて該接着力を開口縁の接着力に近づけることができる。
【００３９】
つまり、テープ状包装体１０におけるカバーテープ１２の剥離強度には、図１１と同様に多少の起伏は見られるものの図６のような極端な高低バラツキは生じず、該剥離強度はテープ走行方向でほぼ安定化したものとなる。従って、カバーテープ１２をテープ状包装体１０から剥離するときに剥離強度のバラツキを原因としてテープ切れを生じることを防止できる。
【００４０】
また、上金型３１ｂの寸法ＬをＬ＝３Ｘ−Ａ−２Ｂとすることにより、該上金型３１ｂのテープ走行方向の前後側に位置する収納ポケット１１ａの壁部を避けるようにして熱圧着を行えるので、熱圧着時に収納ポケット１１ａの開口縁が受ける圧力をより低下させて該開口縁の接着力を低減することができる。これにより、テープ状包装体１０におけるカバーテープ１２の剥離強度をテープ走行方向でより安定なものとすることができる。
【００４１】
尚、テープ走行方向に沿う寸法Ｌが（ｎ−１）Ｘ＜Ｌ≦ｎＸ−Ａに該当する例としてＬ＝３Ｘ−ＡとＬ＝３Ｘ−Ａ−２Ｂを示したが、ｎ値を４以上としても前記同様の作用効果を得ることができる。また、Ｌ＞（ｎ−１）Ｘとすれば基本的には隣接する収納ポケット１１ａに挟まれる部分にＬと（ｎ−１）Ｘとの差分に相当した熱接着の重複を得ることは可能であるが、重複領域を十分に確保するにはＬと（ｎ−１）Ｘとの差分を〔（Ｘ−Ａ）／２〕に近づけることが好ましい。
【００４２】
次に、図１４〜図１８を参照して、前記の製法実施に適した熱圧着手段の構成について説明する。
【００４３】
図１４〜図１６は一例を示すもので、図中の４１は上金型、４２は上金型４１が着脱自在に取り付けられたアーム、４３は上金型４１をアーム４２に取り付けるためのネジである。
【００４４】
アーム４２は前部に左右１対の支持片４２ａを有し、後部に軸穴４２ｂを有している。各支持片４２ａには２つのネジ挿入孔４２ａ１が形成され、上金型４１には各ネジ挿入孔４２ａ１に対応した横長孔４１ａが形成されている。上金型４１は、ネジ４３をネジ挿入孔４２ａ１及び横長孔４１ａに挿入して該ネジ４３の先端にナット（図示省略）を締め付けることによってアーム４２に取り付けられている。
【００４５】
上金型４１が取り付けられたアーム４２はその軸穴４２ｂを固定軸（図示省略）に装着することによってテープ走行方向に沿うように配置され、図示省略の引っ張りバネにより軸穴４２ｂを中心として反時計回り方向に付勢されている。このアーム４２は図示省略のソレノイドまたはシリンダによる昇降動作によって軸穴４２ｂを中心として時計回り方向に回転し、ソレノイドまたはシリンダによる下降動作に基づき引っ張りバネの付勢力によって軸穴４２ｂを中心として反時計回り方向に回転する。つまり、熱圧着時の圧力は引っ張りバネにより上金型４１に付与される。
【００４６】
前記の構成によれば、上金型４１の横長孔４１ａを利用してアーム４２に対する上金型４１の取り付け位置、即ち、キャリアテープ１１に対する上金型４１の押し当て位置をテープ走行方向で調整することができる。勿論、上金型４１の横長孔４１ａをネジ穴とし、アーム４２のネジ挿入孔４２ａ１を横長孔としても同様の位置調整を行える。また、長さＬが異なる上金型４１に任意に交換することができる。
【００４７】
つまり、上金型４１としてテープ走行方向に沿う寸法Ｌが（ｎ−１）Ｘ＜Ｌ≦ｎＸ−Ａに該当するものを任意に用いることができ、使用する上金型４１の寸法Ｌに応じてキャリアテープ１１に対する上金型の押し当て位置を該上金型の寸法Ｌの中心ＣＬがキャリアテープの中心間隔Ｘの中間位置に向き合う位置となるように設定することができる。
【００４８】
図１７及び図１８は他の例を示すもので、図中の５１は上金型、５２は上金型５１が着脱自在に取り付けられたアーム、５３は軸穴位置調整用のブラケット、５４は上金型５１をアーム５２に取り付けるためのネジ、５５はブラケット５３をアーム５２に取り付けるためのネジである。
【００４９】
アーム５２は前部に左右１対の支持片５２ａを有し、後部に横長の軸穴５２ｂを有している。各支持片５２ａには２つのネジ挿入孔５２ａ１が形成され、上金型５１には各ネジ挿入孔５２ａ１に対応したネジ穴５１ａが形成されている。上金型５１は、ネジ５４をネジ挿入孔５２ａ１に挿入してネジ穴５１ａにねじ込むことによってアーム５２に取り付けられている。ブラケット５３はコ字形を成し、軸穴５３ａとその左右に横長孔５３ｂを有している。ブラケット５３は、アーム５２の後部に嵌め込んだ後にネジ５５を横長孔５３ｂに挿入して横長孔５２ｂの左右に設けられたネジ穴５２ｃにねじ込むことによってアーム５２に取り付けられている。
【００５０】
上金型５１及びブラケット５３が取り付けられたアーム５２はその軸穴５３ａを固定軸（図示省略）に装着することによってテープ走行方向に沿うように配置され、図示省略の引っ張りバネにより軸穴５３ａを中心として反時計回り方向に付勢されている。このアーム５２は図示省略のソレノイドまたはシリンダによる昇降動作によって軸穴５３ａを中心として時計回り方向に回転し、ソレノイドまたはシリンダによる下降動作に基づき引っ張りバネの付勢力によって軸穴５３ａを中心として反時計回り方向に回転する。つまり、熱圧着時の圧力は引っ張りバネにより上金型５１に付与される。
【００５１】
前記の構成によれば、アーム５２の横長孔５２ｂとブラケット５３の横長孔５３ｂを利用してアーム５２の軸穴５３ａの位置、即ち、キャリアテープ１１に対する上金型５１の押し当て位置をテープ走行方向で調整することができる。また、長さＬが異なる上金型５１に任意に交換することができる。
【００５２】
つまり、上金型５１としてテープ走行方向に沿う寸法Ｌが（ｎ−１）Ｘ＜Ｌ≦ｎＸ−Ａに該当するものを任意に用いることができ、使用する上金型５１の寸法Ｌに応じてキャリアテープ１１に対する上金型の押し当て位置を該上金型の寸法Ｌの中心ＣＬがキャリアテープの中心間隔Ｘの中間位置に向き合う位置となるように設定することができる。
【００５３】
尚、図１４〜図１６に示した構成と図１７及び図１８に示した構成は、上金型を寸法Ｌが異なる別の上金型に交換でき、しかも、使用する上金型の寸法Ｌに応じてその取り付け位置（キャリアテープに対する上金型の押し当て位置）をテープ走行方向で調整できるようにするための例であって、同様の位置調整機能を備えるものであれば他の構成を採用できることは言うまでもない。
【図面の簡単な説明】
【００５４】
【図１】キャリアテープの収納ポケットに電子部品を順次挿入する従前のステップの説明図である。
【図２】電子部品が挿入された収納ポケットを塞ぐようにキャリアテープの上面にカバーテープを重ねる従前のステップの説明図である。
【図３】カバーテープをキャリアテープの上面に熱接着する従前のステップの説明図である。
【図４】カバーテープをキャリアテープの上面に熱接着する従前のステップの説明図である。
【図５】従前の熱圧着重複回数の説明図である。
【図６】従前の剥離強度の説明図である。
【図７】上金型のテープ走行方向に沿う寸法に関する説明図である。
【図８】キャリアテープに対する上金型の押し当て位置に関する説明図である。
【図９】テープ走行方向に沿う寸法ＬがＬ＝３Ｘ−Ａの上金型を用いた場合の熱接着ステップの説明図である。
【図１０】図９に示した熱圧着による熱圧着重複回数の説明図である。
【図１１】図９に示した熱圧着による剥離強度の説明図である。
【図１２】テープ走行方向に沿う寸法ＬがＬ＝３Ｘ−Ａ−２Ｂの上金型を用いた場合の熱接着ステップの説明図である。
【図１３】図１２に示した熱圧着による熱圧着重複回数の説明図である。
【図１４】図７〜図１３に示した製法実施に適した熱圧着手段の一例を示す図である。
【図１５】図７〜図１３に示した製法実施に適した熱圧着手段の一例を示す図である。
【図１６】図７〜図１３に示した製法実施に適した熱圧着手段の一例を示す図である。
【図１７】図７〜図１３に示した製法実施に適した熱圧着手段の他の例を示す図である。
【図１８】図７〜図１３に示した製法実施に適した熱圧着手段の他の例を示す図である。
【符号の説明】
【００５５】
１０…テープ状包装体、１１…キャリアテープ、１１ａ…収納ポケット、Ｘ…隣接する収納ポケットの中心間隔、Ａ…収納ポケットのテープ走行方向に沿う寸法、Ｂ…収納ポケットの壁厚、３１，３１ａ，３１ｂ…上金型、Ｌ…上金型のテープ走行方向に沿う寸法、ＣＬ…寸法Ｌの中心、ＭＤ…間欠移動の距離、４１…上金型、４１ａ…横長孔、４２…アーム、４２ａ…ネジ挿入孔、４２ｂ…軸穴、４３…ネジ、５１…上金型、５１ａ…ネジ穴、５２…アーム、５２ａ１ネジ挿入孔、５２ｂ…横長孔、５２ｃ…ネジ穴、５３…ブラケット、５３ａ…軸穴、５３ｂ…横長孔。５４，５５…ネジ。
【図１】
2007008556.tif 000003
【図２】
2007008556.tif 000004
【図３】
2007008556.tif 000005
【図４】
2007008556.tif 000006
【図５】
2007008556.tif 000007
【図６】
2007008556.tif 000008
【図７】
2007008556.tif 000009
【図８】
2007008556.tif 000010
【図９】
2007008556.tif 000011
【図１０】
2007008556.tif 000012
【図１１】
2007008556.tif 000013
【図１２】
2007008556.tif 000014
【図１３】
2007008556.tif 000015
【図１４】
2007008556.tif 000016
【図１５】
2007008556.tif 000017
【図１６】
2007008556.tif 000018
【図１７】
2007008556.tif 000019
【図１８】
2007008556.tif 000020